(57)【要約】装置または物体を、ヒト被験体中の標的化された位置に送達するためのデバイスが、開示される。このデバイスは、本体、この本体に設置されてこの本体に対して可動であるハンドル、管、ケーブル、および保持ユニットを備える。この管は、この本体に固定された第一の端部、およびこの保持ユニットに固定された第二の端部を有する。このケーブルは、このハンドルに固定された第一の端部、およびこの本体から離れた位置にある第二の端部を有する。このケーブルは、実質的に、この管を通って延びる。この保持ユニットは、標的可された解放位置への内視鏡送達の間、カプセルを保持するために充分な保持力を適用する。この保持ユニットに対する方向でのハンドルの操作は、この保持力より大きい力を、上記装置に対して発生させる。使用方法もまた、開示される。
2008500110.tif 000002
【特許請求の範囲】
【請求項１】
装置または物体を、ヒト被験体中の標的化された位置に送達するためのデバイスであって、該デバイスは、以下：
ａ．第一の通路が通っている本体；
ｂ．第一の端部および第二の端部を有する細長管であって、該第一の端部は、該本体に対して近位にあり、そして該本体に固定されており、そして該第二の端部は、該本体より遠位にあり、該管は、該第一の通路と整列した第二の通路を規定している、細長管；
ｃ．第一の端部および第二の端部を有するケーブルであって、該ケーブルは、該第一の通路と該第二の通路との内部で同時に、スライド可能に係合する、ケーブル；
ｄ．ハンドルであって、該ハンドルは、該ケーブルの第一の端部に固定されており、そして該本体に対して可動である、ハンドル；ならびに
ｅ．該管の第二の端部に接続された保持ユニットであって、該ユニットは、該標的化された解放位置への送達の間に、物体を保持するために充分な保持力を適用する、保持ユニット、
を備え、
ｆ．該ハンドルの、該保持ユニットに対する方向での操作は、該ケーブルの軸方向での動きを生じ、これによって、該ケーブルの第二の端部は、該物体を該保持ユニットから排出するために充分な力を、該物体に対して発生させる、
デバイス。
【請求項２】
前記保持ユニットが、前記物体を内部に保持するための大きさにされたシェルを備える、請求項１に記載のデバイス。
【請求項３】
前記保持ユニットが、開口部を規定する外側表面を有するシェルを備え、該開口部を通しての、前記物体の手動でのプレスばめを可能にする、請求項１に記載のデバイス。
【請求項４】
前記保持ユニットが、粘性流体を収容するシェルを備える、請求項１に記載のデバイス。
【請求項５】
前記保持ユニットが、吸引源と連絡する吸引ポートを有するカップを備える、請求項１に記載のデバイス。
【請求項６】
前記保持ユニットが、前記物体を内部に保持するための大きさにされた覆いを備え、該覆いは、エラストマー構成要素から構築されている、請求項１に記載のデバイス。
【請求項７】
前記保持ユニットは、前記物体を内部に保持するための大きさにされたシェルを備え、該シェルには、少なくとも１つのスロットが規定されており、その結果、該シェルは、該物体を保持するための力を提供する、請求項１に記載のデバイス。
【請求項８】
前記物体が、画像捕捉カプセルである、請求項１に記載のデバイス。
【請求項９】
前記保持ユニットが、複数の長手軸方向スロットを有するシェルであり、そして弛緩位置において、前記物体より小さい体積の空洞を規定する、請求項１に記載のデバイス。
【請求項１０】
前記本体が、ハンドルストップを備え、該ハンドルストップは、前記ケーブルの遠位方向での軸方向移動を制限する、請求項１に記載のデバイス。
【請求項１１】
画像捕捉カプセルをヒト被験体内の標的化された解放位置に送達するためのデバイスであって、該デバイスは、以下：
ａ．本体；
ｂ．ハンドルであって、該本体に設置されており、そして該本体に対して可動である、ハンドル；
ｃ．第一の端部および第二の端部を有する管であって、該第一の端部は、該本体に固定されており、そして該管は、通路を規定しており、そして該第二の端部において開口している、管；
ｄ．第一の端部および第二の端部を有するケーブルであって、該第一の端部は、該ハンドルに固定されており、そして該第二の端部は、該本体から離れており、該ケーブルは、実質的に、該管の通路を通って延びている、ケーブル；ならびに
ｅ．保持ユニットであって、該保持ユニットは、該管の第二の端部に接続されており、そして該カプセルを保持するための大きさにされており、該ユニットは、該標的化された解放位置への内視鏡送達の間に、該カプセルを保持するために充分な保持力を適用する、保持ユニット、
を備え、
ｆ．該ハンドルの、該保持ユニットに対する方向での操作は、該保持力より大きい力を該カプセルに対して発生させる、デバイス。
【請求項１２】
前記保持ユニットは、透明な基部、および開口遠位端を有する円筒形シェルを備える、請求項１１に記載のデバイス。
【請求項１３】
前記保持ユニットは、遠位端開口部を有するシェルを備え、該遠位端開口部は、該遠位端開口部を通しての該カプセルの手動でのプレスばめを可能にするために充分な大きさである、請求項１１に記載のデバイス。
【請求項１４】
前記保持ユニットは、複数の長手軸方向スロットを有するシェルを備える、請求項１１に記載のデバイス。
【請求項１５】
前記ケーブルは、ストップ部材を備え、該ストップ部材は、前記保持ユニットに向かう方向での前記ケーブルの第二の端部の移動を制限するためのものである、請求項１１に記載のデバイス。
【請求項１６】
前記ケーブルの第二の端部は、ボール型の先端を備える、請求項１１に記載のデバイス。
【請求項１７】
前記保持ユニットは、周囲の半分にわたるオリフィスを有するシェルを備え、該オリフィスは、該オリフィスを通る前記カプセルの手動でのプレスばめを可能にするために充分な大きさである、請求項１１に記載のデバイス。
【請求項１８】
前記保持ユニットは、スロット付きのテーパ状の遠位端を有する弾丸型のシェルを備える、請求項１１に記載のデバイス。
【請求項１９】
前記保持ユニットは、ヒンジ付きの遠位端を有するシェルを備える、請求項１１に記載のデバイス。
【請求項２０】
前記保持ユニットは、延長舌部を備える遠位端部分を有するシェルを備える、請求項１１に記載のデバイス。
【請求項２１】
前記保持ユニットは、外側表面チャネルを有するシェルを備え、該チャネルにガイドワイヤが通され得る、請求項１１に記載のデバイス。
【請求項２２】
前記本体が、ハンドルストップを備え、該ハンドルストップは、前記ケーブルの遠位方向での軸方向移動を制限する、請求項１１に記載のデバイス。
【請求項２３】
前記保持ユニットが、吸引源と連絡する吸引ポートを有するカップを備える、請求項１１に記載のデバイス。
【請求項２４】
画像捕捉カプセルを、ヒト被験体内の標的化された位置に送達するための方法であって、該方法は、以下の工程：
ａ．送達デバイスを選択する工程であって、該送達デバイスは、以下：
ｉ．本体；
ｉｉ．ハンドルであって、該本体に設置され、そして該本体に対して可動である、ハンドル；
ｉｉｉ．第一の端部および第二の端部を有する管であって、該第一の端部は、該本体に固定されており、該管は、通路を規定している、管；
ｉｖ．第一の端部および第二の端部を有するケーブルであって、該第一の端部は、該ハンドルに固定されており、そして該第二の端部は、該本体から離れており、該ケーブルは、実質的に、該管を通って延びる、ケーブル；ならびに
ｖ．該管の第二の端部に接続された保持ユニットであって、該ユニットは、該標的化された解放位置への送達の間に、該カプセルを保持するために充分な力を適用する、保持ユニット、
を備える、工程；
ｂ．該カプセルを、該保持ユニットの内部に装填する工程；
ｃ．該カプセルが該所望の位置に隣接するまで、該デバイスの遠位端を移動させる工程；
ｄ．該保持ユニットに対する方向で、該ハンドルを操作する工程；ならびに
ｅ．該カプセルを該保持ユニットから排出する工程、
を包含する、方法。
【請求項２５】
さらに、以下の工程：
ａ．前記管と前記ケーブルとを同時に、内視鏡の器具チャネルに通す工程；および
ｂ．前記保持ユニットを該管に接続する工程、
を包含する、請求項２４に記載の方法。
【請求項２６】
空の保持ユニットの目視確認によって、該保持ユニットからの前記カプセルの排出を確認する工程をさらに包含する、請求項２４に記載の方法。
【請求項２７】
空の保持ユニットの目視確認によって、該保持ユニットからの前記カプセルの排出を確認する工程をさらに包含し、該保持ユニットは、透明な基部を備える、請求項２４に記載の方法。
【請求項２８】
装置をヒト被験体内の標的化された解放位置に送達するためのデバイスであって、該デバイスは、以下：
ａ．細長本体；
ｂ．ハンドルであって、該本体に設置され、そして該本体に対してスライド可能である、ハンドル；
ｃ．近位端および遠位端を有する管であって、該近位端は、該本体に固定されており、該管は、該近位端から該遠位端までの通路を規定している、管；
ｄ．近位端および遠位端を有するケーブルであって、該近位端は、該ハンドルに固定されており、該ケーブルは、実質的に、該管の通路を通って延びる、ケーブル；ならびに
ｅ．保持ユニットであって、該保持ユニットは、該管の近位端に接続されており、そして該カプセルを保持するための大きさにされたシェルを備え、該シェルは、遠位端開口部を有し、該開口部は、該開口部を通る該装置の手動でのプレスばめを可能にする、保持ユニット、
を備える、デバイス。
【請求項２９】
前記保持ユニットは、半透明な基部、および輪郭付き開口遠位端を有する円筒形シェルを備える、請求項２８に記載のデバイス。
【請求項３０】
前記保持ユニットが、透明な基部、および輪郭付き開口遠位端を有する円筒形シェルを備える、請求項２８に記載のデバイス。
【請求項３１】
前記ケーブルの遠位端が、ボール先端を備える、請求項２８に記載のデバイス。
【請求項３２】
前記ケーブルが、前記保持ユニットに向かう方向での前記ケーブルの第二の端部の動きを制限するための肩部を備える、請求項２８に記載のデバイス。
【請求項３３】
前記保持ユニットが、螺合接続によって、前記管の近位端に取り外し可能に接続されている、請求項２８に記載のデバイス。
【請求項３４】
前記保持ユニットが、吸引源と連絡する吸引ポートを有するカップを備える、請求項２８に記載のデバイス。
【発明の詳細な説明】
【技術分野】
【０００１】
（関連出願の引用）
本出願は、米国仮特許出願番号６０／５７４，０７０（発明の名称「Ｄｅｌｉｖｅｒｙ  Ｄｅｖｉｃｅ」、２００４年５月２５日出願、これは、その全体が本明細書中に参考として援用される）の利益を主張する。
【０００２】
（発明の分野）
本発明は、送達デバイスに関し、そしてより特定すると、装置または物体を、ヒト被験体内の同定された位置に送達するための送達デバイスに関する。
【背景技術】
【０００３】
（発明の背景）
ヒトの身体内の位置を可視化するための内視鏡の使用は、当該分野において公知である。医療手順の一部として、外科医は、１つ以上の道具を用いて、識別された位置に接近することを望み得る。この識別された位置に装置を達成させることは、多くの理由（例えば、この装置が、内視鏡器具のチャネル直径より大きいこと）により、内視鏡を用いては困難であり得る。１つのこのような装置は、画像捕捉デバイスである。
【０００４】
ヒト被験体の内部の画像を捕捉するための、数種の独立したカプセルデバイスが、当該分野において公知である。これらのカプセルは、代表的に、小さい電源、および腸管の画像を捕捉するための写真能力を備える。当該分野において公知である、１つの型のカプセルは、特許文献１に記載されている。例示の目的で、代表的なカプセルは、およそ大型ビタミンの大きさである。
【０００５】
カプセルは、嚥下の後に、胃腸管を通り、画像を、被験体によって着用されるベルト様のデバイスに設置されたレコーダーに伝達する。このカプセルの１つのモデルは、０．５秒ごとに１つの画像を捕捉する。これらの画像は、後日再調査され得る。１つのこのようなカプセルは、Ｇｉｖｅｎｓ  Ｉｍａｇｉｎｇ  Ｌｔｄ．によって販売される、ＰＩＬＬＣＡＭＴＭである。
【０００６】
いく人かの患者は、カプセルを嚥下することが困難であるか、またはある場合には、小さい腸に入ることが遅れ、このカプセルを無効にするか、または撮影されるべき標的化された領域のいくらかもしくは全てを通過する前に、バッテリー寿命をかなり低下させる。この技術は、しばしば、症状を診断することに困難を呈する患者に対して使用されるので、画像の完全なセットが重要である。患者は、多くの理由（口腔咽頭嚥下困難または機械的嚥下困難、胃不全麻痺、および既知または予測される解剖学的異常）により、カプセルを通すことが困難であり得る。
【特許文献１】米国特許第５６０４５３１号明細書
【発明の開示】
【課題を解決するための手段】
【０００７】
これらおよび他の問題を解決するために、本発明は、カプセルを、標的化された位置（胃の内部であろうと、幽門を越えて小腸内であろうと）に直接送達するために使用され得る。本発明は、カプセル保持特徴およびカプセル排出特徴を有する設計を使用する。これらの特徴は、組み合わせられて、安価な、信頼性のある、使用が容易な製品を生じる。その結果、より高い割合の独立したカプセルデバイスが、本発明の装置および方法によって送達される場合に、満足な結果を与えると考えられる。さらに、本発明は、他のモニタリングデバイス、および他の型の送達可能な物体に対して、適用可能である。このデバイスの使用は、浪費されるビデオカプセルを減少させ、カプセルを嚥下し得ない患者において食道を移動することを可能にし、そして小腸の完全な画像捕捉の可能性をかなり増加させる。
【０００８】
（発明の要旨）
画像捕捉カプセルを、ヒト被験体内の標的化された解放位置に送達するためのデバイスが、開示される。このデバイスは、小腸の完全な画像捕捉を妨げる患者固有の問題を克服することによって、外科医に、手順の結果の増加した確信を与える。本発明は、カプセル送達以外の多くの用途を有すること、およびカプセル送達は、例示の目的のみで議論されることが、当業者によって理解されるべきである。本発明は、任意の装置を、身体におけるある位置に送達するために使用され得る。送達後、この物体は、本体内に解放され得るか別の装置に取り付けられ得るか、または種々の様式で他の操作をされ得る。
【０００９】
このデバイスは、本体、この本体に設置されてこの本体に対して可動であるハンドル、管、この管を通って延びるケーブル、および保持ユニットを備える。この管は、この本体に固定された第一の端部、およびこの保持ユニットに接続された第二の端部を有する。このケーブルは、このハンドルに固定された第一の端部、および上記本体から離れた位置にある第二の端部を有する。この保持ユニットは、カプセルを保持する大きさにされ、そして標的化された解放位置への内視鏡送達の間、このカプセルを保持するために充分な保持力を付与する。このケーブルを保持ユニットの方へと方向付ける様式で、このハンドルを操作することにより、保持力より大きい力がこのカプセルに発生し、このカプセルの、この保持ユニットからの排出が起こる。
【００１０】
本発明のさらなる特徴および利点は、添付の図面を参照してなされる以下の詳細な説明から明らかになる。
【００１１】
発明の詳細な説明は、単に、本発明の好ましい実施形態を記載するのであり、いかなる様式でも、特許請求の範囲の範囲を限定することを意図されない。実際に、特許請求の範囲によって記載される本発明は、好ましい実施形態より広範であり、そして好ましい実施形態によっては限定されない。特許請求の範囲における用語は、それらの完全な通常の意味を有する。
【発明を実施するための最良の形態】
【００１２】
（発明の説明）
装置または物体を、被験体の内部の標的化された位置に送達するためのデバイスが開示される。このデバイスは、カプセル、デバイス、装置、または物体を、ヒトの身体内の位置に、内視鏡送達または非内視鏡送達することを必要とする、任意の医療手順のために使用され得る。このデバイスは、信頼性のある構造を特徴とし、そして比較的安価な材料から構築される。
【００１３】
ここで図面を参照すると、本発明の実施形態に従って構築されたカプセル送達デバイス１０の斜視図が、図１に図示されている。このデバイス、ならびに近位および遠位との用語を使用する本発明の全ての実施形態のあらゆる説明は、このデバイスを操作する外科医、看護士、または技術者に関する。
【００１４】
デバイス１０は、近位端に親指リング１４を有する細長本体１２を備える。ハンドル１６が、本体１２に、別個の部品として形成される。このハンドルは、２つの指リング１８の操作によって、方向Ａ１または逆の方向Ａ２に、本体に対してスライド可能である。基部１２およびハンドル１６は、剛性なプラスチック材料から形成されるが、任意の適切な材料が、本発明の実施において使用され得る。
【００１５】
可撓性の管２０は、近位端２２から遠位端２４に至る通路を有する。管２０の近位端２２は、本体１２に固定される。任意の適切な公知の接続方法または構造体が、使用され得る。この管は、任意の可撓性の耐久性材料（例えば、ポリエチレン）から構築され得る。
【００１６】
デバイス１０は、ケーブル３０を備え、このケーブルは、管の通路を実質的に通って延びる。ケーブル３０は、ハンドルに固定された近位端を有する。ケーブル３０の遠位端は、保持ユニット３２に接続される。この保持ユニットは、以下でより詳細に議論される。この実施形態において、ケーブル３０への保持ユニット３２の接続は、部分的に、突起３４によってなされる。
【００１７】
図２は、カプセル５０が保持ユニットに装填された、図１に図示される保持ユニット３２の側面図である。図２に見られるように、肩部ストップ３５が、ケーブル３０に固定される。このハンドルが保持ユニットの方へと操作される場合に、肩部ストップ３５は、突起３４に衝突し、そして保持ユニット３２の方向でのケーブル３０のさらなる移動を阻止する。ストップ３５から保持ユニット前の長さは、本発明の実施において、変化し得る。しかし、この長さは、一般に、ケーブル３０の遠位端が、保持ユニット３２の遠位端を危険なほど越えて移動することを阻止するために十分に短い。
【００１８】
代替のストップ機構が、図１６ａに示される。デバイス１０５は、近位ハンドルストップ２５０を有するハンドルを備え、この近位ハンドルストップは、遠位方向Ａ１でのケーブル３０の移動を制限する。
【００１９】
議論されたように、ケーブル３０の遠位端は、中空の内部およびねじ切りされた外側表面を有する突起３４に接続される。管２０の遠位端２４は、突起３４のねじ山を覆って熱収縮される。ケーブル３０は、突起３４の中空の内部を通して挿入され、そして保持ユニット３２の近位部分の内部に配置される。ケーブル３０の遠位端は、溶接されたボール先端３６を備える。このボールは、管とカップとの間の接続が外れた場合に、ユニット３２が患者の中に落ちることを防止するような大きさにされる。
【００２０】
ここで図３を参照すると、図１および図２に図示された保持ユニットの、部分的に断面である側面図が示されている。保持ユニット３２は、円筒形状のシェル３８を、光透過性の基部４０に接合することによって、形成される。シェル３８は、形状保持プラスチックから形成され得る。透き通った基部４０は、外科医が、手順の終了時に、カプセル５０の排出を目視により確認することを可能にする。基部４０は、突起３４に接続するための、ねじ切りされた開口部分４２をさらに備える。その結果、基部４０は、管２０と本体１２とに対して固定される。
【００２１】
図３に示されるように、この保持ユニットは、カプセル５０を保持している。シェル３８は、カプセル５０を保持するための大きさにされ、そして開口部４２に至る輪郭付けられた遠位端を備える。この開口部は、操作者が、カプセルを開口部４２に通して基部４０の方へと手で通すことによって、カプセル５０をユニット３２に装填することを可能にする。このカプセルが、図３に示される位置にプレスばめされた後に、シェル３８によってカプセル５０に対して発せられる摩擦による保持力は、内視鏡送達プロセスの間、このカプセルをシェル３８の内部に保持するために十分である。
【００２２】
本発明の実施において、管が、内視鏡器具チャネルを通して挿入される。突起は、このチャネルに対する損傷を制限するために、保護具で覆われ得る。この突起がこの内視鏡の遠位端を越えた後に、この保護具が除去され、そして基部４０が、突起３４の上に螺合される。次に、カプセル５０が、基部４０が突起３４に螺合された状態で、ユニット３２に挿入される。次いで、患者は、標的化された解放地点に挿管される。外科医は、内視鏡の光学特徴を使用して、この標的化された解放地点を決定する。議論されたように、異なる患者において、この地点は、このデバイス１０による送達に対するこれらの患者の独自の必要性に依存して、変化する。一旦、標的化解放地点またはその隣接地点に達すると、外科医は、カプセル５０を排出する。
【００２３】
図４は、図１〜図３に図示された機械的カップ３２の、部分的に断面である側面図であり、排出されているカプセルを示す。操作者が、このカプセルを排出する準備ができると、リングハンドル１８が、この操作者によって操作されて、カプセル５０の方へのケーブル３０の位軸方向移動を生じる。ケーブル３０は、このカプセルに接触し、そしてこのカプセルをシェル３８から排出するために充分な力を付与する。排出後の位置におけるケーブル３０が、想像線で示されている。ケーブルの代替として、本発明は、カプセルを排出するために充分な強度および支持を有する、ワイヤ、管または任意の細長部材を用いて実施され得ることが、当業者によって理解されるべきである。カプセルの排出は、いかなる受動的解放技術よりも良好な結果を与えると考えられる。
【００２４】
本発明の別の実施形態が、図５に示される。カップユニット６０は、カプセル５０を保持し、そして非常に粘性の材料６を、その遠位端に収容する。シェル６１と材料６２とによってこのカプセルに対して発せられる、組み合わせられた摩擦保持力は、送達プロセスの間、このカプセルをこのシェルの内部に保持するために十分である。その排出機構は、先に記載されたものと同じである。
【００２５】
図６および図７は、本発明のなお別の実施形態を示す。図６は、透き通った基部４０およびスロット付きのシェル６６から構築される、保持ユニット６４の斜視図である。シェル６６は、その遠位端の方へと内向きの変位を有するように成型される。シェル６６によって発せられる摩擦保持力は、送達プロセスの間、カプセルをシェル６６の内部に保持するために十分である。この実施形態の操作において使用される、付与するプロセスおよび排出のプロセスは、先に記載されたものと同じである。
【００２６】
なお別の実施形態において、図８は、透き通った基部４０およびカプセルカップ６８を備える保持ユニットを図示する。カプセルカップ６８は、カプセル５０と協働する形状であり、そしてカプセル５０に対してわずかに小さい大きさにされる。カプセルカップ６８は、シリコーンのようなエラストマー材料から構築される。手での挿入後、この挿入は、このカップを伸長させ、このカプセルは、摩擦力によって、カプセルカップ６８内にきつく保持される。このカプセルに対するこれらの力は、このカプセルの内視鏡送達の間、このカプセルをカップ６８の内部の保持するために十分である。このカプセルは、先の実施形態においてと同様に、ケーブル３０の操作によって、カップ６８から排出される。
【００２７】
ここで図９を参照すると、本発明のなお別の実施形態の保持ユニット７０の斜視図が図示されている。図１０は、装填されたカプセル５０を示す、保持ユニット７０の、部分的に断面の側面図である。ユニット７０は、透き通った基部４０および成形されたシェル７２を備える。このシェルは、その遠位端において、不規則な形状の、周囲の半分にわたるオリフィス７４を有するように構築され、このオリフィスを通して、カプセル５０が排出される。
【００２８】
図１１および図１２は、本発明のなお別の実施形態を示す。図示される保持ユニット８０は、透き通った基部４０およびシェル８２を備える。図１２は、装填されたカプセル５０を示す、保持ユニット８０の、部分的に断面である側面図である。このシェルは、ほぼ弾丸の形状であり、そしてテーパ状の遠位端を有する。このテーパ状の形状は、内視鏡が標的化された解放位置に挿管されている場合に、摩擦を低減させると考えられる。この遠位端は、一連のスロット８４をさらに備え、これらのスロットは、遠位開口部が、カプセル５０の装填の間に拡張することを可能にする。
【００２９】
ここで図１３を参照すると、なお別の実施形態に従って構築されたカプセル送達具の一部の側面図が示される。保持ユニット９０は、透き通った基部４０およびヒンジ付きシェル９２を備える。一連の揺動部材９４が、シェル９２の遠位端の方へと延びる。部材９４は、機械加工または成形された一連のヒンジ９６の周りで可動である。この実施形態の操作において使用される、装填プロセスおよび排出プロセスは、先に記載されたものと同じである。
【００３０】
本発明のなお別の実施形態が、図１４に示される。保持ユニット１００は、透き通った基部４０およびシェル１０２を備える。複数の舌部１０４が、シェル１０２の遠位端から延びる。これらの舌部は、可撓性であり、カプセル（図示せず）の装填および排出を可能にする。
【００３１】
図１５は、本発明のなお別の実施形態の斜視図である。内視鏡手順の間に使用中のデバイスが、示されている。示されるように、内視鏡２００が、患者の胃２０２に挿管されている。図１５に図示される手順は、カプセル５０を、幽門括約筋２０４を越えて十二指腸２０６（すなわち、小腸の最初の部分）内へと放出することを意図される。カプセル５０が、画像伝達の開始時に小腸内に排出される場合、バッテリー切れの前に、標的化された領域全体を記録する見込み画像化する。
【００３２】
示される保持ユニット１１０は、透き通った基部４およびシェル１１２を備え、このシェルは、チャネル１１４を備える。ガイドワイヤ１１６が、二重チャネル胃鏡２００に螺合されている。ガイドワイヤ１１６は、幽門括約筋を横切る際に有利である。あるいは、ガイドワイヤ１１６は、単一チャネルの標準的な胃鏡によって挿入され得る。この手順において、このスコープは、次いで分解され、カプセルは、このスコープの遠位端に装填され、そしてガイドワイヤが、シェルの側部チャネル１１４に挿入される。次いで、患者が、再度挿管される。なお別の代替の技術は、ガイドワイヤ１１６および管２０が一緒に螺合するために十分に大きいチャネルを有する、治療用胃鏡の使用である。
【００３３】
広範な種々の他の保持ユニット構造体が、本発明の実施において使用され得ることが、当業者によって理解されるべきである。例えば、カプセルは、減圧力によって、保持ユニット内に保持され得る。このようなデバイス３００は、図１６ｂに示されている。デバイス３００は、カプセルカップ３０７、およびこのカップ内に同軸状に配置された減圧カップ３０８を備える。カプセルカップ３０７は、カプセル（図示せず）と協働するような形状にされており、そしてこのカプセルより大きいサイズにされる。減圧カップ３０８の内側表面は、その中心軸に沿ってカプセルの端部と係合するような大きさにされる。このカプセルは、吸引力によって、減圧カップ３０８内にきつく保持される。
【００３４】
示されるように、減圧カップ３０８は、段階式アダプタ３０４の内部の入口ポートに適用される吸引源（図示せず）と流体連絡する。このカプセルに対する吸引力は、このカプセルの内視鏡送達の間、このカプセルを、カップ３０７、３０８の内部に保持するために十分である。操作者が、このカプセルを排出する準備ができると、吸引力が除かれる。次に、ケーブル３０２の操作によって、このカプセルは、カップ３０７、３０８から排出される。
【００３５】
本発明の数個の実施形態が、かなり詳細に図示および説明されたが、本発明は、開示された正確な構成に限定されるとみなされない。本発明の種々の用途、改変および使用は、本発明が関する分野の当業者に想到し得る。本発明は、添付の特許請求の範囲の範囲および精神に入る、全ての適合、改変および使用を網羅する。
【図面の簡単な説明】
【００３６】
【図１】図１は、本発明の実施形態に従って構築されたカプセル送達デバイスの斜視図であり、機械的カップ保持ユニットを示す。
【図２】図２は、図１に図示される機械的カップ保持ユニットの側面図であり、このカップ内に位置するカプセル、ならびにケーブルおよびカップの基部構造の詳細を示す。
【図３】図３は、図１に図示される機械的カップ保持ユニットの、部分的に断面である側面図である。
【図４】図４は、図１に図示される機械的カップ保持ユニットの、部分的に断面である側面図であり、このカップから排出されるカプセルを示す。
【図５】図５は、本発明の別の実施形態に従って構築されたカプセル送達デバイスの一部の、部分的に断面である側面図であり、粘性流体で満たされた保持ユニットを示す。
【図６】図６は、本発明のなお別の実施形態に従って構築されたカプセル送達具の一部の斜視図であり、スロット付きの保持カップの保持ユニットを示す。
【図７】図７は、図６に図示される機械的カップ保持ユニットの、部分的に断面である側面図である。
【図８】図８は、本発明のなお別の実施形態に従って構築された、カプセル送達デバイスの一部の、部分的に断面である側面図であり、弾性カップ保持ユニットを示す。
【図９】図９は、本発明のなお別の実施形態に従って構築された、カプセル送達具の一部の斜視図であり、周囲の半分にわたる排出オリフィスを有する機械的カップ保持ユニットを示す。
【図１０】図１０は、図９に図示される機械的カップ保持ユニットの、部分的に断面である側面図であり、カップ内に装填されたカプセルを示す。
【図１１】図１１は、本発明のなお別の実施形態に従って構築されたカプセル送達具の一部の斜視図であり、スロット付きのテーパ状の遠位端を有する機械的カップ保持ユニットを示す。
【図１２】図１１に図示される機械的カップ保持ユニットの、部分的に断面である側面図であり、カップ内に装填されたカプセルを示す。
【図１３】図１３は、本発明のなお別の実施形態に従って構築されたカプセル送達具の一部の側面図であり、ヒンジ付きの遠位端を有する機械的カップ保持ユニットを示す。
【図１４】図１４は、本発明のなお別の実施形態に従って構築されたカプセル送達具の一部の側面図であり、延長舌部を備える遠位端を有する機械的カップ保持ユニットを示す。
【図１５】図１５は、本発明のなお別の実施形態に従って構築されたカプセル送達具の一部の斜視図であり、ガイドワイヤチャネルを有する機械的カップ保持ユニットを示す。
【図１６ａ】図１６ａは、本発明の実施形態に従って構築されたカプセル送達デバイスの斜視図であり、近位ハンドルストップを有するデバイスを示す。
【図１６ｂ】図１６ｂは、本発明のなお別の実施形態に従って構築されたカプセル送達具の一部の斜視図であり、吸引保持ユニットを示す。
【図１】
2008500110.tif 000003
【図２】
2008500110.tif 000004
【図３】
2008500110.tif 000005
【図４】
2008500110.tif 000006
【図５】
2008500110.tif 000007
【図６】
2008500110.tif 000008
【図７】
2008500110.tif 000009
【図８】
2008500110.tif 000010
【図９】
2008500110.tif 000011
【図１０】
2008500110.tif 000012
【図１１】
2008500110.tif 000013
【図１２】
2008500110.tif 000014
【図１３】
2008500110.tif 000015
【図１４】
2008500110.tif 000016
【図１５】
2008500110.tif 000017
【図１６ａ】
2008500110.tif 000018
【図１６ｂ】
2008500110.tif 000019